(57)【要約】【課題】外出時の種々の状況に対応してペットとともに移動することに役立つペット飼育具を提供する。【解決手段】ペット飼育具１は、折り畳み可能なカート１０と、ペットを収容可能なペットキャリーＰＣとを有している。カート１０は、前脚２１及び後脚２３を有するカート本体部２０と、前記カート本体部２０に保持されたペット収容部６０と、を有し、折り畳み可能である。また、前記ペットキャリーＰＣは、ペットを収容した状態で前記ペット収容部６０内に配置可能となっている。【選択図】図１
2018023324.tif 000002
【特許請求の範囲】
【請求項１】
前脚及び後脚を有するカート本体部と、前記カート本体部に保持されたペット収容部と、を有し、折り畳み可能なカートと、
ペットを収容可能なペットキャリーと、
を備え、
前記ペットキャリーは、ペットを収容した状態で前記ペット収容部内に配置可能となっている
ペット飼育具。
【請求項２】
前記ペットキャリーを車両の座席に取り付け可能な固定具
をさらに備えた請求項１に記載のペット飼育具。
【請求項３】
前記ペットキャリーは、車両のシートベルトを通す部分を有している
請求項１に記載のペット飼育具。
【請求項４】
前記カート本体部は、幅方向に小型化するように折り畳み可能であり、
前記ペット収容部は、幅方向に複数に分割された底板と、柔軟性を有した材料で形成された側壁部と、を有している
請求項１〜３のいずれか一項に記載のペット飼育具。
【請求項５】
前記ペット収容部は、上方に開口した収容部本体と、前記収容部本体の上方を覆うことが可能な幌と、を有しており、
前記収容部本体は、メッシュ地からなる第１網状部を有している
請求項１〜４のいずれか一項に記載のペット飼育具。
【請求項６】
前記収容部本体と前記幌とは、スライドファスナーで開閉可能である
請求項５に記載のペット飼育具。
【請求項７】
前記幌は、前記幌の前後にメッシュ地からなる第２網状部を有している
請求項５又は６に記載のペット飼育具。
【発明の詳細な説明】
【技術分野】
【０００１】
本発明は、ペット収容部を有するカートとペットキャリーとを備えたペット飼育具に関する。
【背景技術】
【０００２】
近年、ペットとともに外出する機会が増加している。この傾向にともない、例えば特許文献１に開示されているように、ペットを運ぶためのペット用カートが知られている。このようなカートを用いれば、ペットの重さの負担を強いられることなく、ペットと共に楽に公共スペースを移動することができる。
【先行技術文献】
【特許文献】
【０００３】
【特許文献１】特開２００８−２２０２５９号公報
【発明の概要】
【発明が解決しようとする課題】
【０００４】
しかしながら、階段の昇降時や電車やバスへの乗車時等、ペット用カートよりもペットキャリーを使用する方が好ましい場合がある。このような場合、ペット用カートからペットキャリーにペットを移し替える必要がある。しかし、状況に応じてペットをペット用カートからペットキャリーへ移し替えること、あるいは、ペットキャリーからペット用カートへ移し替えることは、非常に煩雑である。
【０００５】
本発明は、以上の点を考慮してなされたものであって、外出時の種々の状況に対応してペットとともに移動することに役立つペット飼育具を提供することを目的とする。
【課題を解決するための手段】
【０００６】
本発明によるペット飼育具は、
前脚及び後脚を有するカート本体部と、前記カート本体部に保持されたペット収容部と、を有し、折り畳み可能なカートと、
ペットを収容可能なペットキャリーと、
を備え、
前記ペットキャリーは、ペットを収容した状態で前記ペット収容部内に配置可能となっている。
【０００７】
好ましくは、前記ペットキャリーを車両の座席に取り付け可能な固定具を含んでいてもよい。
【０００８】
あるいは、前記ペットキャリーは、車両のシートベルトを通す部分を有していてもよい。
【０００９】
好ましくは、前記カート本体部は、幅方向に小型化するように折り畳み可能であり、前記ペット収容部は、幅方向に複数に分割された底板と、柔軟性を有した材料で形成された側壁部と、を有している。
【００１０】
好ましくは、前記ペット収容部は、上方に開口した収容部本体と、前記収容部本体の上方を覆うことが可能な幌と、を有しており、前記収容部本体は、メッシュ地からなる第１網状部を有している。
【００１１】
この場合、好ましくは、前記収容部本体と前記幌とは、スライドファスナーで開閉可能である。
【００１２】
また、前記幌は、前記幌の前後にメッシュ地からなる第２網状部を有していてもよい。
【発明の効果】
【００１３】
本発明によれば、外出時の種々の状況に対応してペットとともに移動することに有用なペット飼育具が得られる。
【図面の簡単な説明】
【００１４】
【図１】本発明の一実施の形態を説明する図であって、ペット飼育具を示す側面図。
【図２】展開状態にあるカート本体部の斜視図。
【図３】折り畳み状態にあるカート本体部の側面図。
【図４】折り畳み状態にあるカート本体部の正面図。
【図５】図４の状態からさらに幅方向に折り畳んだ状態にあるカート本体の正面図。
【図６】図１に示されたペット収納部を示す斜視図。
【図７】固定具を示す斜視図。
【図８】図７に示された固定具の使用状態を示す斜視図。
【図９】図７に示された固定具の使用状態を示す側面図。
【図１０】図７に対応する図であって、固定具の一変形例を示す斜視図。
【図１１】図７に対応する図であって、固定具の更に他の変形例を示す斜視図。
【図１２】図７に対応する図であって、固定具の更に他の変形例を示す斜視図。
【図１３】ペットキャリーの一変形例を示す斜視図。
【発明を実施するための形態】
【００１５】
以下、図面を参照して本発明の一実施の形態について説明する。
【００１６】
図１〜図９は、本発明によるペット飼育具の一実施の形態を説明するための図である。このうち、図１は、カート１０とペットキャリーＰＣとを有するペット飼育具１の全体構成を示している。図２〜図５は、カート本体部２０の全体構成を示している。また、図６は、ペット収容部６０を示す斜視図である。
【００１７】
ペットキャリーＰＣは、犬や猫等のペットを収容可能に構成された収容部材（容器）であり、ペットを露出させることが不適当な環境下で使用される。また、ペットキャリーＰＣは、ペットを持ち運ぶ際に使用するものであり、ペット収容部６０とは別体として構成されている。この結果、例えばペットを伴って公共スペースを移動する際、カート１０は使用せず、ペットキャリーＰＣのみを用いてペットを搬送することが可能である。
【００１８】
図１によく示されているように、ペットキャリーＰＣは、ペットを収容するための収容本体部ＰＣ１を有している。収容本体部ＰＣ１は、ペット収容部６０の底部に置いた時に安定するよう、底部を有していることが好ましい。また、収容本体部ＰＣ１内のスペースの換気を行うことができるよう、収容本体部ＰＣ１の壁部あるいは天井部の少なくとも一部は、メッシュ地で形成されていてよい。また、収容本体部ＰＣ１は、ペットが顔を出すことのできる閉鎖可能な開口を有していてもよい。さらに、ペットキャリーＰＣは、使用者が収容本体部ＰＣ１を運びやすいよう、取手ＰＣ２あるいは肩掛けベルトを有していてもよい。
【００１９】
一方、カート１０は、ペット収容部６０内にペットを直接又はペットキャリーＰＣを介して収納した状態で用いられることを意図された台車であって、ペットの重さに煩わされることなくペットを運ぶことを可能とする。図１〜図５に示すように、カート１０は、折り畳み可能に構成されたカート本体部２０と、カート本体部２０に保持されたペット収容部６０と、を有する。
【００２０】
ここで、本明細書中において、カート本体部及びカート、ペット収容部に対する「前」、「後」、「上」、「下」、「前後方向」、及び「上下方向」の用語は、特に指示がない場合、展開状態にある、とりわけ折り畳むことが可能な展開状態にあるカートを、ハンドルを把持しながら前進させる状況で判断される「前」、「後」、「上」、「下」、「前後方向」、及び「上下方向」を意味する。さらに詳しくは、カート本体部及びカート、ペット収容部の「前後方向」とは、図１における紙面の左右の方向であって、図２及び図６における紙面の左下と右上とを結ぶ方向に相当する。そして、特に指示がない限り、「前」とは、ハンドルを押す操作者が向く側であり、図１における紙面の左側並びに図２及び図６における紙面の左下側がカート本体部、カート及びペット収容部の前側となる。一方、カート本体部、カート及びペット収容部の「上下方向」とは前後方向に直交するとともに接地面に直交する方向である。したがって、接地面が水平面である場合、「上下方向」とは垂直方向をさす。また、「幅方向」とは横方向であって、「前後方向」及び「上下方向」のいずれにも直交する方向である。
【００２１】
まず、主として図１〜図５を参照しながら、カート本体部２０について説明する。図示されたカート本体部２０は、ペット収容部６０を支持する支持体５０と、ハンドル４０と、それぞれ左右に配置された一対の前脚２１と、それぞれ左右に配置された一対の後脚２３と、それぞれ左右に配置された一対の第１〜４リンク材３１，３２，３３，３４と、を有している。前脚２１の下端には、前輪２２が設けられ、後脚２３の下端には、後輪２４が設けられている。
【００２２】
前脚２１の上端部分は、対応する側（左側または右側）に配置された第１リンク材３１の前方部分に回動可能（揺動可能）に接続されている。同様に、後脚２３の上端部分が、対応する側（左側または右側）に配置された第１リンク材３１の前方部分に回動可能（揺動可能）に接続されている。第１リンク材３１は、前後方向に延びる上面と、上面から垂下する一対の側面と、を有した下方に開口した中空状の部材として、例えば樹脂によって、構成されている。
【００２３】
また、第２リンク材３２が、対応する側（左側または右側）に配置された第１リンク材３１の後方部分、とりわけ図示する例では後方部分のうちの後端部分に回動可能（揺動可能）に接続されている。なお、ここで説明する形態において、第２リンク材３２は、ハンドル４０の下端に接続されている。ハンドル４０は、第２リンク材３２から延び出た部分によって構成されている。より具体的には、ハンドル４０は、各第２リンク材３２の上端部分から延び出た一対の延出部４１と、一対の延出部４１の間を連結する連結部４２と、を有しており、Ｕ字状の外形状を持っている。第２リンク材３２は、ハンドル４０の延出部４１と一体的に、例えば金属製のパイプから形成され得る。
【００２４】
左側の第３リンク材３３は、左側の前脚２１と左側の第２リンク材３２とを連結し、右側の第３リンク材３３は、右側の前脚２１と右側の第２リンク材３２とを連結している。各第３リンク材３３は、その前方部分を前脚２１の中間部分に回動可能に接続され、その後方部分を第２リンク材３２の下方部分、とりわけ図示する例では下方部分のうちの下端部分に回動可能に接続されている。なお、ここで説明する第３リンク材３３は、図３に示すように、金属製の本体部３３ａと、本体部３３ａの後端に設けられた後端カバー部３３ｂと、本体部３３ａの前端に設けられた前端カバー部３３ｃと、を有している。この第３リンク材３３は、後端カバー部３３ｂにおいて第２リンク材３２と回動可能に連結され、前端カバー部３３ｃにおいて前脚２１と回動可能に連結されている。
【００２５】
なお、図１、図２及び図５によく示されているように、第３リンク材３３の前端カバー部３３ｃには、フック４８及びフック受け４９がそれぞれ設けられている。フック４８及びフック受け４９は、後述するようにカート１０を折り畳んだ際に互い係合して、カート１０を折り畳んだ状態に維持する。
【００２６】
次に、左側の第４リンク材３４は、左側の後脚２３と左側の第２リンク材３２とを連結し、右側の第４リンク材３４は、右側の後脚２３と右側の第２リンク材３２とを連結している。各第４リンク材３４は、その一部分において後脚２３の中間部分に回動可能（揺動可能）に接続され、他の部分において第２リンク材３２の下方部分、とりわけ図示する例では下方部分のうちの下端部分に回動可能に接続されている。第４リンク材３４は、樹脂によって形成された板状材として構成され得る。
【００２７】
なお、図示された例では、第２リンク材３２の両側方に、第３リンク材３３及び第４リンク材３４が、第２リンク材３２に対して回動可能に接続されている。結果として、第３リンク材３３と第４リンク材３４も、互いに対して回動可能に接続されている。また、図示された例において、前脚２１、後脚２３、及び、第１〜第４リンク材３１，３２，３３，３４の互いに対する回動軸線は、互いに平行となっている。また、第２リンク材３２と第４リンク材３４との回動軸線と、第３リンク材３３と第４リンク材３４との回動軸線は、一直線上に揃っている。
【００２８】
さらに、本実施の形態におけるカート本体部２０は、幅方向に延びる構成要素として、一対の前脚２１間を連結する第１幅方向連結材３６と、一対の第３リンク材３３を連結する第２幅方向連結材３７と、一対の後脚２３間を連結する第３幅方向連結材３８と、を有している。図２及び図４によく示されているように、第１幅方向連結材３６、第２幅方向連結材３７及び第３幅方向連結材３８は、屈曲可能に構成され、それぞれ、幅方向に沿って離間した一対のヒンジ３６ａ，３６ｂ，３７ａ，３７ｂ，３８ａ，３８ｂ有している（図２及び図４参照）。同様に、上述したハンドル４０の幅方向に延びる連結部４２も、屈曲可能に構成され、幅方向に沿って離間して位置する一対のヒンジ４２ａ，４２ｂを有している。
【００２９】
図１によく示されているように、第２リンク材３２には、第４リンク材３４と係合可能なロック部材２８が設けられている。ロック部材２８は、第２リンク材３２に対して摺動可能となっており、第２リンク材３２上において、第２リンク材３２と第４リンク材３４との回動軸線の側に向けて付勢されている。また、ハンドル４０の連結部４２には、ロック部材２８を遠隔操作可能なロック操作機構２７が設けられている。図１に示すように、ロック部材２８は、第２リンク材３２上において、第４リンク材３４の側へ向けて付勢され、第４リンク材３４と係合するようになる。ロック部材２８が第４リンク材３４と係合すると、第２リンク材３２と第４リンク材３４との相対回動が規制され、カート本体部２０が展開された状態に維持されるようになる。一方、ロック操作機構２７を用いてロック部材２８を第４リンク材３４から引き離すことにより、第２リンク材３２と第４リンク材３４との相対回動が可能となる。
【００３０】
図１に示すように、支持体５０は、ペット収容部６０を支持する部材であり、平面視において、ペット収容部６０の輪郭に沿った輪郭を有している。ただし、図示された形態では、図２によく示されているように、支持体５０は環状に構成されておらず、ペット収容部６０の一部分の輪郭に沿った輪郭を有している。
【００３１】
支持体５０は、ハンドル４０や前脚２１及び後脚２３に対して回動可能に接続され、カート本体部２０の折り畳み動作時にハンドル４０や前脚２１及び後脚２３に対して回動する。これにより、カート本体部２０は、図１及び図２に示された展開状態から図３及び図４に示された折り畳み状態へ折り畳むことができ、また、折り畳み状態から展開状態へと展開することができる。
【００３２】
図２に示すように、具体的な構成として、支持体５０は、一対の側フレーム部材５１と、一対の側フレーム部材５１を連結する連結フレーム部材５４と、を有している。各側フレーム部材５１は、その後方部分において、ハンドル４０に回動可能に接続されている。図３に示すように、左側の側フレーム部材５１は、ハンドル４０の左側の延出部４１に接続されており、右側の側フレーム部材５１は、ハンドル４０の右側の延出部４１に接続されている。各側フレーム部材５１の延出部４１への接続箇所（回動軸線）は、各第１リンク材３１の第２リンク材３２への接続箇所（回動軸線）よりも上方に位置している。
【００３３】
一対の側フレーム部材５１に対応して、一対の連結リンク材５９が設けられている。左側の連結リンク材５９は、左側の側フレーム部材５１及び左側の第１リンク材３１のそれぞれに対して回動可能に接続されており、右側の連結リンク材５９は、右側の側フレーム部材５１及び右側の第１リンク材３１のそれぞれに対して回動可能に接続されている。カート本体部２０が展開されている状態において、連結リンク材５９は、第１リンク材３１から上方に延び出ている。そして、カート本体部２０が展開されている状態において、カート本体部２０の側面視において、側フレーム部材５１は、概ね、前後方向に延びるようになっている。
【００３４】
一方、図２によく示されているように、連結フレーム部材５４は、各側フレーム部材５１の前方側の端部に接続されている。
【００３５】
連結フレーム部材５４は、側フレーム部材５１に対して回動可能に接続されている。すなわち、連結フレーム部材５４と左側の側フレーム部材５１との接続箇所にヒンジ５４ａが形成され、同様に、連結フレーム部材５４と右側の側フレーム部材５１との接続箇所にヒンジ５４ｂが形成されている。
【００３６】
なお、図示された例において、側フレーム部材５１のハンドル４０に対する回動軸線、並びに、連結リンク材５９の第１リンク材３１に対する回動軸線及び連結リンク材５９の側フレーム部材５１に対する回動軸線は、互いに平行となっており、且つ、前脚２１、後脚２３、及び、第１〜第４リンク材３１，３２，３３，３４の互いに対する回動軸線とも平行となっている。さらに、図示された例において、連結リンク材５９と第１リンク材３１との回動軸線は、前脚２１と第１リンク材３１との回動軸線と一直線上に揃っている。
【００３７】
以上のような構成からなるカート本体部２０は、以下のようにして、各構成部材を互いに回動させることにより、折り畳むことができる。
【００３８】
まず、ハンドル４０に設けられたロック操作機構２７を介して、第２リンク材３２上のロック部材２８を引き上げる。これにより、ロック部材２８と第４リンク材３４との係合が解除され、第２リンク材３２と第４リンク材３４が、相対回動可能となる。この状態で、第２リンク材３２とともにハンドル４０をいったん後上方に引き上げ、その後、下方に押し下げる。これにより、第４リンク材３４が、後脚２３に対し図１において時計回り方向に回動する。この操作にともなって、第１リンク材３１及び第３リンク材３３は、第２リンク材３２に対し図１において時計回り方向に回動する。
【００３９】
このような操作により、図３に示すように、側面視において（側方から観察した場合において）、ハンドル４０が前脚２１との略平行な関係を保ちながら前脚２１に接近するように移動し、前後方向におけるカート本体部２０の寸法が小型化される。また図３及び図４に示すように、カート本体部２０を前後方向へ折り畳むと、ハンドル４０と前脚２１とが略平行に保たれたまま、ハンドル４０の配置位置が下げられるようになる。この結果、カート本体部２０の前後方向における寸法だけでなく、カート本体部２０の上下方向における寸法も小型化することができる。
【００４０】
なお、図３及び図４から理解され得るように、このようなカート本体部２０の折り畳み動作にともなって、支持体５０がハンドル４０に対して回動する。具体的には、支持体５０の側フレーム部材５１が、ハンドル４０の延出部４１に対して、図１において時計回り方向に回動する。すなわち、支持体５０は、カート本体部２０の折り畳み動作時に、支持体５０の前方部分がハンドル４０に接近するように、ハンドル４０に対して回動する。
【００４１】
言い換えると、支持体５０は、カート本体部２０の折り畳み動作時に、連結フレーム部材５４がハンドル４０の連結部４２に接近するように、ハンドル４０に対して回動する。このようなカート本体部２０の折り畳み動作にともなった、支持体５０のハンドル４０に対する回動によって、カート本体部２０（カート１０）を前後方向へ折り畳んだ際に、前後方向及び上下方向におけるカート本体部２０（カート１０）の寸法を小型化することができる。
【００４２】
さらに、本実施の形態によるカート本体部２０では、第１幅方向連結材３６、第２幅方向連結材３７及び第３幅方向連結材３８は、それぞれ、幅方向に沿って離間した一対のヒンジ３６ａ，３６ｂ，３７ａ，３７ｂ，３８ａ，３８ｂを有している（図２及び図４参照）。同様に、ハンドル４０の連結部４２も、幅方向に沿って離間した一対のヒンジ４２ａ，４２ｂを有している。さらに、支持体５０も、連結フレーム部材５４と側フレーム部材５１との接続箇所として、幅方向に沿って離間した一対のヒンジ５４ａ，５４ｂを有している。そして、図４に示すように、前後方向にカート本体部２０を折り畳むことにより、これらの部材３６，３７，３８，４２，５０の一方のヒンジ３６ａ，３７ａ，３８ａ，４２ａ，５４ａが概ね第１の軸Ｌａ上に位置し、他方のヒンジ３６ｂ，３７ｂ，３８ｂ，４２ｂ，５４ｂが概ね第２の軸Ｌｂ上に位置するようになる。この結果、図５に示すように、第１の軸Ｌａ及び第２の軸Ｌｂをそれぞれ中心として、カート本体部２０（カート１０）を折り畳むことができ、これにより、幅方向の寸法も小型化することができる。
【００４３】
また、図５から理解され得るように、前後方向、上下方向及び幅方向の寸法が小型化されたカート本体部２０（カート１０）は、双輪タイプの後輪２４を用いて自立可能となっている。したがって、保管や折り畳んだ状態での持ち運び等の取り扱い性に優れるといった利点を有する。なお、図５に示すように、カート本体部２０（カート１０）は、フック４８及びフック受け４９を互いに係合させることにより、幅方向にも折り畳まれた状態に維持されるようになる。
【００４４】
なお、カート本体部２０（カート１０）を折り畳み状態から展開するには、上述した折り畳み操作と逆の操作を行えばよい。
【００４５】
ところで、このようなカート本体部２０にペット収容部６０が設けられたカート１０を用いれば、ペットの重さの負担を強いられることなく、ペットと共に楽に公共スペースを移動することができる。しかしながら、階段の昇降時や電車やバスへの乗車時等、カート１０よりもペットキャリーＰＣを使用する方が好ましい場合がある。このような場合、カート１０のペット収容部６０からペットキャリーＰＣにペットを移し替える必要がある。しかし、状況に応じてペットをカート１０のペット収容部６０からペットキャリーＰＣへ移し替えること、あるいは、ペットキャリーＰＣからカート１０のペット収容部６０へ移し替えることは、非常に煩雑である。
【００４６】
そこで、ここで説明するペット飼育具１においては、ペットキャリーＰＣがペットを収容した状態でペット収容部６０内に配置可能となっている。したがって、カート１０のペット収容部６０からペットキャリーＰＣへペットを移し替える必要性並びにペットキャリーＰＣからカート１０のペット収容部６０へ移し替える必要性を排除している。その一方で、ペットキャリーＰＣを使用する必要がない場合には、カート１０のペット収容部６０にペットを直接収容することができる。このとき、ペットは比較的に広いペット収容部６０内の空間で快適に過ごすことができる。すなわち、外出時の種々の状況に対応してペットの移動手段を容易に変更可能である。
【００４７】
以下、図１及び図６を参照して、ペット収容部６０について説明する。図６によく示されているように、ペット収容部６０は、上方に開口した収容部本体６５と、ペット収容部６０をカート本体部２０の支持体５０に装着するための装着部材６７を有している。
【００４８】
収容部本体６５は、側壁部６５ｗと、側壁部６５ｗに接続されて筒状の側壁部６５ｗを閉鎖する底部６５ｂと、を有している。底部６５ｂ及び側壁部６５ｗの寸法は、図１に示されているようにペットキャリーＰＣがペットを収容した状態でペット収容部６０内に配置可能であるよう、ペットキャリーＰＣの寸法を考慮して決定されている。したがって、側壁部６５ｗと底部６５ｂとによって、犬や猫などのペット、あるいはペットを収容したペットキャリーＰＣを収容するスペースが形成される。
【００４９】
底部６５ｂは、ある程度の剛性を有した材料から構成された底板６６を有しており、底部６５ｂの剛性を高めている。この結果、収容部本体６５がカート本体部２０の支持体５０から吊り下げられた状態において、支持体５０から垂下した収容部本体６５内に、ペットあるいはペットキャリーＰＣを収容するためのスペースが確保される。また、ペット収容部６０内にペットあるいはペットキャリーＰＣを安定して保持することができるようになっている。
【００５０】
その一方で、底板６６は、幅方向に複数に分割されている。すなわち、底板６６は、収容部本体６５がカート本体部２０に装着されている状態において、前後方向に延びる複数の底板部材６６ｐによって構成されている。この結果、収容部本体６５がカート本体部２０に装着されている状態においてカート本体部２０が幅方向に折り畳まれる時、底部６５ｂは、カート本体部２０の幅方向の折り畳みに追随して、屈曲することができるようになっている。図６に示すように、本実施の形態においては、カート本体部２０がその幅方向に３つに折り畳み可能であることに対応して、底板６６は、幅方向に３つに分割されている。
【００５１】
一方、側壁部６５ｗは、布地等の柔軟性を有した材料、すなわち布状材からなっており、収容部本体６５がカート本体部２０に装着されている状態において、カート本体部２０の前後方向及び幅方向の折り畳みに追随して折り畳むことができるようになっている。すなわち、側壁部６５ｗは、カート本体部２０の折り畳み動作に伴って変形可能となるよう、柔軟性を有している。
【００５２】
また、収容部本体６５は、その内部の換気を行うため、その側壁部６５ｗの一部にメッシュ地からなる第１網状部６５ｍを有している。第１網状部６５ｍは、図１及び図６に示す例においては、収容部本体６５の前方側壁部６５ｗｆに設けられているが、これに限られず、後方側壁部６５ｗｂや左右の側壁部６５ｗｓに設けられていてもよい。さらに、側壁部６５ｗの第１網状部６５ｍと重なる各部分には、開閉可能なフラップ６８が設けられている。このフラップ６８をめくると、第１網状部６５ｍが現れるようになる。
【００５３】
収容部本体６５は、側壁部６５ｗの上側縁部６５ｅの外周の各箇所に設けられた公知の装着部材６７によって、カート本体部２０の支持体５０に吊り下げられる。図６に示す例においては、装着部材６７は、一方の長辺が側壁部６５ｗの上側縁部６５ｅに沿って縫着された帯状部材６７ａと、複数組のスナップボタン６７ｂであって、各組が当該帯状部材６７ａと側壁部６５ｗに対向して配置されたスナップボタン６７ｂである。このような装着部材６７によれば、側壁部６５ｗを支持体５０の内側に配置し、帯状部材６７ａを支持体５０に被せて各組のスナップボタン６７ｂを留めることにより、収容部本体６５を支持体５０に装着することが可能である。あるいは、装着部材６７は、両端部が側壁部６５ｗの上側縁部６５ｅに縫着されてループを形成する紐状部材６７ｃであってもよい。このような装着部材６７によれば、紐状部材６７ｃのループ内に支持体５０を挿通することにより、収容部本体６５を支持体５０に吊り下げることが可能である。
【００５４】
図１によく示されているように、ペット収容部６０には、収容部本体６５の上方を覆うことが可能な幌９０がさらに設けられている。幌９０は、幌布９１と複数のＵ字状の幌骨９２とを有している。図示された例において、各幌骨９２は、幌布９１に縫いつけられることによって、保持されている。幌９０が開いた図１の状態において、幌骨９２は、その剛性により、幌布９１を張った状態に維持し、幌９０と収容部本体６５との間に、ペットを収容するスペースを安定して確保することができる。
【００５５】
なお、幌骨９２は、弾性材料から構成されている。この結果、ペット収容部６０がカート本体部２０に装着された状態においてカート本体部２０が折り畳まれる際、幌骨９２が、カート本体部２０の幅方向の折り畳みに追随して屈曲することができるようになっている。
【００５６】
図６に示す例においては、幌布９１は、前方縁部９１１及び後方縁部９１２を有している。後方縁部９１２は、収容部本体６５の上側縁部６５ｅの後部領域に縫着されている。一方、前方縁部９１１は、側面視において、後方縁部９１２に対し、後方縁部９１２に接近した位置（図６参照）と、後方縁部９１２から離間した位置（図１参照）と、の間を揺動動作することができる。図６に示すように、前方縁部９１１が、後方縁部９１２に接近すると、複数の幌骨９２が互いに接近する。このとき、幌９０は閉じた状態となり、収容部本体６５を上方に開放する。一方、図１に示すように、前方縁部９１１が、後方縁部９１２から離間すると、複数の幌骨９２が互いから離間する。このとき、幌９０は開いた状態となり、収容部本体６５は幌９０によって上方から覆われる。なお、幌９０の開閉を妨げることのないよう、複数の幌骨９２は、側面視において、前方縁部９１１の揺動中心（前方縁部９１１の側面視における後端）を中心とした放射方向に延びている。この結果、複数の幌骨９２は、前方縁部９１１と同様の揺動動作を行うことができる。
【００５７】
幌布９１の前方縁部９１１には、図６に示すように、スライドファスナー８０の一対のファスナーストリンガー８１ａ，８１ｂのうち一方のファスナーストリンガー８１ａが設けられている。他方のファスナーストリンガー８１ｂは、収容部本体６５の上側縁部６５ｅの前方領域に、ファスナーストリンガー８１ａに対応して設けられている。スライドファスナー８０は、さらに、一対のファスナーストリンガー８１ａ，８１ｂの各エレメント列を係合させるスライダー８２を有しており、スライダー８２を移動させることにより、スライドファスナー８０を閉じることができるようになっている。この結果、収容部本体６５と幌９０とは、スライドファスナー８０で開閉可能である。また、スライドファスナー８０を閉じることによって、幌９０と収容部本体６５との間のスペースに、ペットを外部から隙間なく遮断して収容することが容易である。
【００５８】
また、幌９０は、収容部本体６５と幌９０との間のスペースの換気を行うため、幌９０の前後にメッシュ地からなる第２網状部９０ｍを有している。また、第２網状部９０ｍと重なる各部分には、開閉可能なフラップ８６が設けられている。このフラップ８６をめくると第２網状部９０ｍが現れるようになる。このような構成により、たとえ収容部本体６５の上方を幌９０で覆ったとしても、第１網状部６５ｍ及び／または第２網状部９０ｍを通して、幌９０と収容部本体６５との間に形成されたペットを収納するためのスペースの換気を行うことができる。
【００５９】
なお、幌９０の寸法は、図１に示されているようにペットキャリーＰＣがペットを収容した状態でペット収容部６０内に配置可能であるよう、ペットキャリーＰＣの寸法を考慮して決定されている。
【００６０】
ところで、ペットとともに外出する機会が増加していることに伴い、ペットと共に車両で移動する機会も増加している。この場合、車両の急減速時、例えば車両の衝突時等に、車両内でペットが人にぶつかってしまうことや、ペットが車両のいずれかの部位にぶつかってしまう虞がある。このような状況は、ペット及び同乗者の双方にとって危険である。
【００６１】
以上のことを考慮して、本実施の形態のペット飼育具１は、ペットキャリーＰＣを車両Ｖの座席Ｓに取り付けるための固定具５００をさらに含む。以下、図７乃至図９を参照して、本発明による固定具５００の一実施の形態について説明する。図７は、固定具５００を示す斜視図である。図８及び図９は、固定具５００の使用状態、すなわち、固定具５００を用いてペットキャリーＰＣを車両Ｖの座席Ｓに固定した状態を示している。
【００６２】
固定具５００は、ペットキャリーＰＣを車両Ｖの座席Ｓ上に固定するために使用される装置である。ペットが収容されたペットキャリーＰＣを固定具５００を用いて車両Ｖの座席Ｓに固定しておくことで、車両Ｖの急減速時、例えば車両Ｖの衝突時に、車両Ｖ内でペットが人とぶつかってしまうことや、ペットが車両Ｖのいずれかの部位にぶつかってしまうことを効果的に防止することができる。
【００６３】
以下、固定具５００をなす各構成要素について順に説明していく。
【００６４】
まず、図示された固定具５００は、車両Ｖに設けられたアンカーを利用してペットキャリーＰＣを座席Ｓに固定するものである。アンカーは、具体的には、チャイルドシートや幼児用シートを車両Ｖの座席Ｓに安定して且つ容易に取り付けることを目的として車両Ｖに設けられたアンカーであり、例えばＩＳＯＦＩＸ方式対応のラッチである。ＩＳＯＦＩＸ方式対応のラッチは共通の規格として全世界で広く普及しつつある。
【００６５】
例えば、第１アンカーＡ１及び第２アンカーＡ２が、座席Ｓの座部Ｓａの後方、座席Ｓの背部Ｓｂの下方、又は座部Ｓａと背部Ｓｂとの間に、互いから横方向にずれて位置している。また、第３アンカーＡ３が、例えば、車両座席Ｓの背部Ｓｂの裏側に設けられている。
【００６６】
図７に示すように、図示された固定具５００は、分岐位置ｂｐから分岐するようにして互いに接続した第１ベルト部材５１０、第２ベルト部材５２０及び第３ベルト部材５３０を有している。第１ベルト部材５１０、第２ベルト部材５２０及び第３ベルト部材５３０は、いずれも細長いベルト状の部材である。各ベルト部材５１０，５２０，５３０は、ペットキャリーＰＣに接触してペットキャリーＰＣのずれを防止するベルト滑り止めを有していてもよい。ベルト滑り止めは、例えば樹脂やゴム等から形成され得る。
【００６７】
図８に示すように、第１ベルト部材５１０、第２ベルト部材５２０、第３ベルト部材５３０は、それぞれ、その一端に、車両Ｖの座席Ｓに設けられたアンカーＡ１，Ａ２，Ａ３に締結可能な第１コネクタ５１４、第２コネクタ５２４、第３コネクタ５３４を有している。第１コネクタ５１４、第２コネクタ５２４、第３コネクタ５３４としては、アンカーＡ１，Ａ２，Ａ３と締結可能な種々の部材や部品等を用いることができる。
【００６８】
第１ベルト部材５１０、第２ベルト部材５２０、第３ベルト部材５３０の他端は、接続部５０５において、Ｙ字を形成するように接続している。すなわち、第１ベルト部材５１０、第２ベルト部材５２０、第３ベルト部材５３０の他端が接続する位置に分岐位置ｂｐが形成され、第１ベルト部材５１０、第２ベルト部材５２０及び第３ベルト部材５３０は、この分岐位置ｂｐから分岐するように、延び出している。なお、第１ベルト部材５１０、第２ベルト部材５２０及び第３ベルト部材５３０は、接続部５０５において、取り外し可能に接続している。このような例として、第１ベルト部材５１０、第２ベルト部材５２０、第３ベルト部材５３０の他端が、バックルおよびバックルから取り外し可能なトングによって構成され得る。
【００６９】
また、図８に示すように、固定具５００は、第１ベルト部材５１０及び／または第２ベルト部材５２０と、第３ベルト部材５３０と、の間を連結する補助ベルト部材５４０を、さらに有している。図示された補助ベルト部材５４０は、連結ベルト材５４１、主ベルト部材５４２及びガイド部材５４３を有している。連結ベルト材５４１は、第１ベルト部材５１０及び第２ベルト部材５２０を連結している。連結ベルト材５４１の両端は、輪状に形成されている。この輪状部分に、第１ベルト部材５１０または第２ベルト部材５２０が、連結ベルト材５４１に対して相対移動可能に挿通している。
【００７０】
主ベルト部材５４２は、その一端において、連結ベルト材５４１の中央部分に接続している。主ベルト部材５４２は、連結ベルト材５４１に対して、例えば縫着されている。主ベルト部材５４２は、連結ベルト材５４１への接続位置から離間した位置にて、ガイド部材５４３を保持している。ガイド部材５４３は、例えば、樹脂による射出成型品として形成され得る。
【００７１】
図７に示すように、ガイド部材５４３は、第３ベルト部材５３０が挿通するための誘導穴（誘導空間）５４３ａを形成されている。誘導穴５４３ａは、第３ベルト部材５３０の断面形状に対応した細長い外輪郭の穴となっている。誘導穴５４３ａに第３ベルト部材５３０が挿通されることにより、補助ベルト部材５４０は、第３ベルト部材５３０の長手方向に沿って第３ベルト部材５３０に対して相対移動可能に、第３ベルト部材５３０に接続することになる。
【００７２】
なお、ガイド部材５４３には、誘導穴５４３ａに通じるスリット５４３ｂがさらに形成されている。スリット５４３ｂの隙間（幅）は第３ベルト部材５３０の厚みよりも広くなっている。したがって、第３ベルト部材５３０を、誘導穴５４３ａ内で湾曲させながら又は折り曲げながら、スリット５４３ｂを通過させることにより、誘導穴５４３ａ内に第３ベルト部材５３０を挿入すること及び誘導穴５４３ａ内から第３ベルト部材５３０を取り外すことが可能となる。
【００７３】
また、第１ベルト部材５１０、第２ベルト部材５２０、第３ベルト部材５３０及び主ベルト部材５４２は、公知の方法によってその長さを調節することができるようになっている。
【００７４】
また、図示された固定具５００は、さらに収容袋５５０を有している。収容袋５５０は、例えば布から形成された袋である。この収容袋５５０は、第１ベルト部材５１０、第２ベルト部材５２０、第３ベルト部材５３０及び補助ベルト部材５４０を収容可能な容積を有している。したがって、固定具５００の不使用時に、これらのベルト部材５１０，５２０，５３０，５４０を収容袋５５０に収容して保管することができる。これにより、固定具５００の不使用時に、ベルト部材５１０，５２０，５３０，５４０が広がってしまうことや、ベルト部材５１０，５２０，５３０，５４０を紛失してしまうことを効果的に防止することができる。
【００７５】
とりわけ図示された例において、収容袋５５０は、ベルト部材５１０，５２０，５３０が挿通可能な開口を有している。そして、図示された使用例において、接続部５０５が収容袋５５０に収容された状態で、ベルト部材５１０，５２０，５３０が収容袋５５０から延び出している。つまり、図８及び図９に示すように、第１ベルト部材５１０、第２ベルト部材５２０及び第３ベルト部材５３０は、分岐位置ｂｐにおいて、収容袋５５０内に位置するようになる。その一方で、固定具５００を使用しない場合、第１ベルト部材５１０、第２ベルト部材５２０、第３ベルト部材５３０及び補助ベルト部材５４０を、収容袋５５０内に収容することが可能となる。
【００７６】
また、収容袋５５０の表面には、ペットキャリーＰＣに接触してペットキャリーＰＣのずれを防止する袋滑り止めが設けられていてもよい。袋滑り止めは、例えば樹脂やゴム等から形成され得る。
【００７７】
次に、以上のようなペット飼育具１を使用する際の作用について説明する。
【００７８】
まず、カート１０において、ペット収容部６０は、カート本体部２０の支持体５０によって側方から支持されている。このとき、ペット収容部６０の収容部本体６５の底板６６によって、底部６５ｂの剛性が高められている。これにより、持体５０から垂下した収容部本体６５内に、ペットあるいはペットキャリーＰＣを収容するためのスペースが確保される。幌９０は、スライドファスナー８０を開放して幌骨９２を後方に揺動させることにより、後方に折り畳まれる。この結果、収容部本体６５は上方に開口し、ペットキャリーＰＣを収容部本体６５内にスムースに配置することができる。このとき、収容部本体６５が底板６６を有することにより、ペットキャリーＰＣを安定して保持することができる。
【００７９】
その後、必要に応じて、幌骨９２を前方に揺動させ、幌９０によって収容部本体６５の上方を覆う。この場合、スライドファスナー８０を閉鎖することによって、収容部本体６５と幌９０との間のスペースを隙間無く閉鎖することが容易である。また、フラップ６８を開放することにより、第１網状部６５ｍを通して、収容部本体６５と幌９０との間のスペースの換気を行うことができる。さらに、フラップ８６を開放することによって、第１網状部６５ｍ及び第２網状部９０ｍの組み合わせにより、収容部本体６５と幌９０との間のスペースの換気をより効率的に行うことができる。
【００８０】
また、カート１０を押すことにより、ペットの重さの負担を強いられることなく、ペットと共に楽に移動することができる。
【００８１】
一方、カート１０を使用しないペットの搬送方法に切り替える際には、上述した手順と逆の手順を行う。すなわち、スライドファスナー８０を開放して幌９０を後方に折り畳み、収容部本体６５を上方に開口する。これにより、ペットが収容されたペットキャリーＰＣを、収容部本体６５内からスムースに取り出すことができる。すなわち、ペットをカートのペット収容部からペットキャリーへ移し替えることなく、迅速にペットの搬送手段を変更可能である。
【００８２】
収容部本体６５が空になったカート１０は、収容部本体６５の側壁部６５ｗが布状材で構成されていること、及び、収容部本体６５の底部６５ｂの底板６６が幅方向に分割されていること、により、ペット収容部６０を装着したまま前後方向及び幅方向に折り畳むことが可能である。特に、底板６６が幅方向に分割されていることにより、底部６５ｂの幅に制約されることなく、カート１０を幅方向に折り畳むことが可能である。さらに、幌９０の幌骨９２が弾性材料で構成されていることにより、幌骨９２によってカート１０の幅方向の折り畳みが阻害されることがない。この結果、カート１０は、カート１０を抱えての移動や保管等に適した大きさになることができる。
【００８３】
次に、ペットと共に車両で移動する際のペット飼育具１の作用について説明する。
【００８４】
まず、ペットキャリーＰＣを車両Ｖに持ち込む前に、固定具５００の第１ベルト部材５１０、第２ベルト部材５２０及び第３ベルト部材５３０を車両Ｖに取り付ける。具体的には、第１コネクタ５１４、第２コネクタ５２４及び第３コネクタ５３４を、それぞれ、第１アンカーＡ１、第２アンカーＡ２及び第３アンカーＡ３に締結することで、第１ベルト部材５１０、第２ベルト部材５２０及び第３ベルト部材５３０を車両Ｖに取り付ける。なお、三つのベルト部材５１０，５２０，５３０の取り付けに先立ち、ベルト部材５１０，５２０，５３０，５４０の大まかな長さ調節を行っておくことが好ましい。
【００８５】
次に、補助ベルト部材５４０の長さを調節した後、補助ベルト部材５４０のガイド部材５４３の誘導穴５４３ａ内に、第３ベルト部材５３０を入れる（図７参照）。
【００８６】
その後、ペットキャリーＰＣを車両Ｖ内に持ち込む。次に、ペットキャリーＰＣを、連結ベルト材５４１上、且つ、第１及び第２ベルト部材５１０，５２０と主ベルト部材５４２との間、に配置する。その後、ベルト部材５１０，５２０，５３０，５４０の長さ及び配置を調節し、ペットキャリーＰＣを座席Ｓ上に固定する。
【００８７】
以上の結果、第１ベルト部材５１０、第２ベルト部材５２０及び第３ベルト部材５３０と、車両Ｖの座席Ｓとの間に、ペットキャリーＰＣを固定することができる。このとき、第１ベルト部材５１０及び第２ベルト部材５２０、第３ベルト部材５３０が、ペットキャリーＰＣ上においてＹ字状に配置される。この結果、ペットキャリーＰＣを安定して、車両Ｖの座席Ｓ上に配置することができる。これにより、車両Ｖの急減速時、例えば車両Ｖの衝突時等に、車両Ｖ内でペットが人とぶつかってしまうことや、ペットが車両Ｖのいずれかの部位にぶつかってしまうことを効果的に防止することができる。
【００８８】
また、ペットキャリーＰＣは、座席Ｓ上において、第１ベルト部材５１０及び第２ベルト部材５２０と、第３ベルト部材５３０と、補助ベルト部材５４０と、の間に保持される。したがって、座席Ｓ上でのペットキャリーＰＣの移動を効果的に防止することができる。
【００８９】
ペットキャリーＰＣを車両Ｖから取り出すときは、ペットキャリーＰＣを車両Ｖに固定する際と、概ね逆の手順を踏むことになる。まず、ベルト部材５１０，５２０，５３０，５４０を引き伸ばすことにより、ペットキャリーＰＣを車両Ｖの座席Ｓ上から取り出すことができる。
【００９０】
その後、第１コネクタ５１４と第１アンカーＡ１との締結を解除し、第２コネクタ５２４と第２アンカーＡ２との締結を解除し、さらに、第３コネクタ５３４と第３アンカーＡ３との締結を解除して、ベルト部材５１０，５２０，５３０，５４０を車両Ｖから取り外す。次に、補助ベルト部材５４０のガイド部材５４３から、第３ベルト部材５３０を取り外す。これにより、ベルト部材５１０，５２０，５３０，５４０を、収容袋５５０内に収納することができるようになる。ベルト部材５１０，５２０，５３０，５４０を収容袋５５０内に収納するにより、不使用状態となった固定具５００を、収容袋５５０に纏めることができ、部品の紛失等を効果的に回避しながら固定具５００を保管することができる。
【００９１】
なお、固定具５００を用いたペットキャリーＰＣの座席Ｓへの取り付けは、ペットキャリーＰＣの特別な構成を必要としない。
【００９２】
以上のような本実施の形態によれば、ペット飼育具１は、前脚２１及び後脚２３を有するカート本体部２０と、カート本体部２０に保持されたペット収容部６０と、を有し、折り畳み可能なカート１０と、ペットを収容可能なペットキャリーＰＣと、を有し、ペットキャリーＰＣは、ペットを収容した状態でペット収容部６０内に配置可能となっている。このようなペット飼育具１では、ペットを伴って公共スペースを移動する際、ペットをペットキャリーＰＣに収容した状態でカート１０のペット収容部６０に収容し、カート１０で搬送することが可能である。これにより、カート１０の使用が適した状況においては、ペットの重さの負担を強いられることなく、ペットと共に楽に移動することができる。その一方で、カート１０の使用が不適切な状況においては、ペット収容部６０からペットキャリーＰＣごとペットを取り出すだけで、カート１０を使用しないペットの搬送方法に切り替えることが容易である。すなわち、ペットをカート１０のペット収容部６０からペットキャリーＰＣへ移し替えることなく、迅速にペットの搬送手段を変更可能である。また、カート１０の不使用時には、カート１０を折り畳むことが可能であり、カート１０を抱えての移動や保管等に適した大きさにすることができる。
【００９３】
また、本実施の形態によれば、カート本体部２０は、幅方向に小型化するように折り畳み可能であり、ペット収容部６０は、幅方向に複数に分割された底板６６と、柔軟性を有した材料で形成された側壁部６５ｗと、を有している。この構成によれば、カート１０の不使用時に、カート本体部２０をペット収容部６０の底部６５ｂの幅に制約されることなく、搬送や保管等に適した小さな寸法へと折り畳むことができる。その一方で、カート１０の使用時、すなわちカート１０の展開時には、底板６６がペット収容部６０の底部６５ｂの剛性を高め、ペット収容部６０内にペットを安定して保持することができる。
【００９４】
また、本実施の形態によれば、ペット収容部６０は、上方に開口した収容部本体６５と、収容部本体６５の上方を覆うことが可能な幌９０と、を有しており、収容部本体６５は、メッシュ地からなる第１網状部６５ｍを有している。このような構成によれば、収容部本体６５と幌９０との間のスペースに、ペットを外部から遮断して収容することが可能である。また、第１網状部６５ｍを通して、当該スペースの換気を行うことができる。
【００９５】
また、本実施の形態によれば、収容部本体６５と幌９０とは、スライドファスナー８０で開閉可能である。このような構成によれば、収容部本体６５と幌９０との間のスペースを隙間無く閉鎖することが容易である。
【００９６】
また、本実施の形態によれば、幌９０は、幌９０の前後にメッシュ地からなる第２網状部９０ｍを有している。このような構成によれば、第１網状部６５ｍ及び第２網状部９０ｍの組み合わせにより、収容部本体６５と幌９０との間のスペースの換気をより効率的に行うことができる。
【００９７】
さらに、本実施の形態によれば、ペット飼育具１は、ペットキャリーＰＣを車両Ｖの座席Ｓに取り付け可能な固定具５００をさらに有している。このような固定具５００により、ペットと共に車両Ｖで移動する際、ペットをペットキャリーＰＣに収容したまま車両Ｖの座席Ｓに保持することができる。これにより、ペット及び同乗者の安全性を確保しながら、ペットと共に車両Ｖで移動することが可能である。すなわち、車両Ｖの急減速時、例えば車両Ｖの衝突時等に、車両Ｖ内でペットが人とぶつかってしまうことや、ペットが車両Ｖのいずれかの部位にぶつかってしまうことを効果的に防止することができる。
【００９８】
以上、本発明を図示する一実施の形態に基づいて説明したが、本発明はこの一実施の形態に限定されるものではなく、この他にも種々の態様で実施可能である。以下、図面を参照しながら、変形の一例について説明する。以下の説明及び以下の説明で用いる図面では、上述した一実施の形態と同様に構成され得る部分について、上述の一実施の形態における対応する部分に対して用いた符号と同一の符号を用いるとともに、重複する説明を省略する。
【００９９】
例えば、上述した一実施の形態において、カート本体部１０及びペット収容部６０の具体的な構成を説明したが、上述した構成は例示に過ぎない。カート本体１０は、ペット収容部６０を支持することができる種々の構成を採用することができ、ペット収容部６０は、ペットキャリーＰＣを収容することができる種々の構成を採用することができる。
【０１００】
また、上述した一実施の形態において、固定具５００の一具体例を示したが、固定具５００について種々の変更が可能である。第３ベルト部材５３０が、車両Ｖの第３アンカーＡ３と締結する例を示したが、この例に限られない。図１０に示すように、第３ベルト材１５３０が、分岐位置ｂｐから離間した接続位置において、第１ベルト部材５１０及び第２ベルト部材５２０の少なくとも一方のベルト部材と接続するようにしてもよい。この例において、第３ベルト材１５３０は、上述した一実施の形態における補助ベルト部材５４０の連結ベルト材５４１と同様に構成された連結ベルト材１５３１の中央に縫着されている。固定具５００は、車両Ｖの第１アンカーＡ１及び第２アンカーＡ２を利用し、第３アンカーＡ３を利用することなく、ペットキャリーＰＣを座席Ｓに固定している。
【０１０１】
図１０に示された変形例において、ペットを収容するペットキャリーＰＣを車両Ｖの座席Ｓに固定するための固定具５００は、上述した一実施の形態と同様の作用効果を奏することができる。
【０１０２】
また、別の変形例として、補助ベルト部材５４０や第３ベルト材１５３０が、第１ベルト部材１０又は第２ベルト部材２０に接続する位置は、第１ベルト部材５１０及び第２ベルト部材５２０でなくても良い。例えば、図１１に示すように、第３ベルト材１５３０が、第１コネクタ５１４や第２コネクタ５２４に接続するようにしてもよい。
【０１０３】
また、別の変形例として、図１２に示すように、固定具５００が、第１ベルト部材５１０、第２ベルト部材５２０及び第３ベルト部材５３０の少なくとも一つ以上のベルト部材によって支持されたカバー部材５６０を、さらに有するようにしてもよい。カバー部材５６０は、ペットキャリーＰＣを覆う布材または網状材を含んでいる。固定具５００が、ベルト部材５１０，５２０，５３０だけでなく、柔軟性を有したシート状のカバー部材５６０によって面でペットキャリーＰＣを覆うことで、ペットキャリーＰＣを車両Ｖ内により安定して固定することが可能となる。カバー部材５６０を有する固定具５００によれば、カバー部材５６０によって、ペットキャリーＰＣをより安定して保持することができる。これにより、ペットキャリーＰＣが固定具５００に対して相対移動することを効果的に防止し、ペットキャリーＰＣをより安定して車両Ｖの座席Ｓに固定することができる。
【０１０４】
また、さらに別の変形例として、図１３に示すように、ペット飼育具１は、固定具５００を有する代わりに、ペットキャリーＰＣが車両Ｖのシートベルト２５１０を通す部分２５００を有していても良い。図１３に示す例においては、シートベルト２５１０が通過する部分２５００は、ペットキャリーＰＣの外面にベルト状部材２５２０がその両端部において縫着されることによって構成される。すなわち、ベルト状部材２５２０の中央部とペットキャリーＰＣの外面との間にシートベルト２５１０を通すことができるようになっている。
【０１０５】
このようなペットキャリーＰＣによっても、ペットと共に車両で移動する際、ペットをペットキャリーＰＣに収容したまま車両Ｖの座席Ｓに保持することが可能である。これにより、ペット及び同乗者の安全性を確保しながら、ペットと共に車両Ｖで移動することが可能である。すなわち、車両Ｖの急減速時、例えば車両Ｖの衝突時等に、車両Ｖ内でペットが人とぶつかってしまうことや、ペットが車両Ｖのいずれかの部位にぶつかってしまうことを効果的に防止することができる。
【符号の説明】
【０１０６】
１  ペット飼育具
１０  カート
２０  カート本体部
２１  前脚
２３  後脚
６０  ペット収容部
６５  収容部本体
６５ｂ  底部
６６  底板
８０  スライドファスナー
９０  幌
５００  固定具
２５００  シートベルトを通す部分
ＰＣ  ペットキャリー
【図１】
2018023324.tif 000003
【図２】
2018023324.tif 000004
【図３】
2018023324.tif 000005
【図４】
2018023324.tif 000006
【図５】
2018023324.tif 000007
【図６】
2018023324.tif 000008
【図７】
2018023324.tif 000009
【図８】
2018023324.tif 000010
【図９】
2018023324.tif 000011
【図１０】
2018023324.tif 000012
【図１１】
2018023324.tif 000013
【図１２】
2018023324.tif 000014
【図１３】
2018023324.tif 000015